(57)【特許請求の範囲】
【請求項１】
縦フレームと横フレームとクランプ機構を具備したクランプ支持フレームとを備え、前記クランプ機構を締め付けることで船縁に取り付け可能な基体と、
該基体に装着された釣竿保持部を前記縦フレームの表面及び横フレームの表面に、前記基体から取り外すことなく移動させて選択的に取り付け可能にする位置変更機構と、
を有する釣竿保持装置であって、
前記位置変更機構は、前記基体に対して回動可能に取り付けられると共に、前記釣竿保持部を保持した軸部を備え、前記軸部を回動することで、前記釣竿保持部を前記基体の縦フレームと横フレームとに選択して取り付け可能であることを特徴とする釣竿保持装置。
【請求項２】
前記基体は、縦フレームから横フレームに通じる溝を有し、
前記軸部は、前記溝に沿って縦フレーム側から横フレーム側に回動可能に軸支されていることを特徴とする請求項１に記載の釣竿保持装置。
【請求項３】
前記軸部にナット部材を螺合し、前記ナット部材の螺合操作によって前記釣竿保持部を縦フレーム又は横フレームに押圧可能としたことを特徴とする請求項１又は２に記載の釣竿保持装置。
【請求項４】
前記釣竿保持部には、係合部が設けられており、前記縦フレーム及び横フレームには、前記釣竿保持部を回動させた際、前記係合部と係合される被係合部が設けられていることを特徴とする請求項１から３のいずれか１項に記載の釣竿保持装置。
【発明の詳細な説明】
【技術分野】
【０００１】
本発明は、船縁に取り付け可能な釣竿保持装置に関する。
【背景技術】
【０００２】
一般的に、船釣りをする際、船縁に釣竿を保持するための釣竿保持装置を装着することが行われている。従来の船縁に取り付け可能な釣竿保持装置は、コの字状の基体と、この基体に取り付けた釣竿保持部とを有しており、万力等のクランプ装置で基体を船縁に取り付け、魚のあたりを待つ間、釣竿保持部に釣竿を保持させている。
【０００３】
ところで、船縁は、取り付け場所や船によって形状が異なるため、コの字状の基体、及び万力を、船縁の上下方向を挟持するようにして取り付けたり、或いは、船縁の前後方向を挟持して取り付けることがあり、この取り付け方法に応じて基体に対する釣竿保持部の取り付け位置を変更できるようにした釣竿保持装置が、例えば、特許文献１で紹介されている。
【０００４】
この特許文献１に開示されている釣竿保持装置は、コの字状の基体の縦と横の支持面を選択して釣竿保持部の取り付け位置を変更できるように構成されており、釣竿保持部は、基体の縦と横の支持面に対してボルトで着脱自在に取り付けできるようになっている。
【特許文献１】実開平４−８０３６９号
【発明の開示】
【発明が解決しようとする課題】
【０００５】
上記した釣竿保持装置において、釣竿保持部を、それぞれ基体の縦と横の支持面に付け替える場合、釣竿保持部を一度基体から取り外さなければならず、このため付け替え操作が煩わしく、また、付け替え操作を揺れる船上で行うと、釣竿保持部やボルト等を落としてしまうおそれがあった。
【０００６】
本発明は、上記した問題に着目してなされたものであり、釣竿保持部を基体から取り外すことなく、基体の縦と横の支持面に付け替えることが可能な釣竿保持装置を提供することを目的とする。
【課題を解決するための手段】
【０００７】
上記した目的を達成するために、本発明に係る釣竿保持装置は、縦フレームと横フレームとクランプ機構を具備したクランプ支持フレームとを備え、前記クランプ機構を締め付けることで船縁に取り付け可能な基体と、該基体に装着された釣竿保持部を前記縦フレームの表面及び横フレームの表面に、前記基体から取り外すことなく移動させて選択的に取り付け可能にする位置変更機構と、を有しており、前記位置変更機構は、前記基体に対して回動可能に取り付けられると共に、前記釣竿保持部を保持した軸部を備え、前記軸部を回動することで、前記釣竿保持部を前記基体の縦フレームと横フレームとに選択して取り付け可能であることを特徴とする。
【０００８】
上記した構成では、釣竿保持部は、前記軸部を中心として基体に対して回動可能に取り付けられており、基体の縦フレームと横フレームとに選択して装着可能であるため、釣竿保持部を基体に対して取り外す必要がなくなり、これにより付け替え作業が容易になると共に、付け替え作業中において、釣竿保持部やボルト等を落とすこともない。
【発明の効果】
【０００９】
本発明によれば、釣竿保持部を基体から取り外すことなく、基体の縦と横の支持面に付け替えることが可能な釣竿保持装置が得られる。
【発明を実施するための最良の形態】
【００１０】
以下、本発明の一実施の形態について、図１から図６を参照して説明する。
これらの図において、図１は、船縁に取り付けた釣竿保持装置の全体構成を示す図、図２は、釣竿保持装置の詳細な構造を示す部分断面図、図３は、釣竿保持部が回動する状態を示す部分断面図、図４は、図２に示す状態から釣竿保持部を付け替えた状態を示す部分断面図、図５は、図４に示す状態で船縁に取り付けた状態を示す部分断面図、そして、図６は、図２乃至図５に示す主要部の拡大図である。
【００１１】
釣竿保持装置１は、船縁５０に取り付けられるように構成されており、実際に船縁５０に取り付け、固定される基体２と、釣竿６０を保持する釣竿保持部１０とを備えて構成されている。
【００１２】
前記船縁５０は、図１及び図５に示すように、船によって、或いは着座する位置によって形状が異なっており、図１に示すように水平方向の張出部５０ａがあれば、釣竿保持装置１は、後述するクランプ機構を上下方向に締め付けて取り付け、図５に示すように、水平方向の張出部５０ａがない場合や短い形状であれば、同クランプ機構を水平方向に締め付けて取り付けできる。
【００１３】
前記基体２は、縦フレーム２Ａ、横フレーム２Ｂ及びクランプ支持フレーム２Ｃを具備したコの字状に形成されており、クランプ支持フレーム２Ｃに装着（螺着）されたクランプ機構３を締め付けることで、基体２を船縁５０に締め付け、取り付けすることが可能となっている。このクランプ機構３は、公知の構成であり、縦フレーム２Ａと平行に延出するシャフト３ａを、下端に装着された操作レバー３ｂを回転することで、押圧部３ｃを横フレーム２Ｂに向けて進退させ、基体２を船縁５０の張出部５０ａ（図１参照）や、船縁５０の側壁５０ｂ（図５参照）に対して締め付け、取り付けすることが可能となる。
【００１４】
前記基体２の横フレーム２Ｂの上面には、図１及び図２に示すように、釣竿保持部１０が取り付けられている。この釣竿保持部１０は、後述する位置変更機構によって、基体２から取り外すことなく、縦フレーム２Ａの上面に移動させて取り付けすることが可能となっている（図５参照）。
【００１５】
釣竿保持部１０は、釣竿６０が載置されるＹ字状の竿受け部１２と、釣竿緊締具１５ａを具備する竿掛け部１５と、これら竿受け部１２と竿掛け部１５を支持する台座１７とを有している。
【００１６】
前記竿受け部１２は、台座１７に対して、矢印Ａ方向に揺動して竿受け部１２の位置を上下方向に調整可能に構成されている。具体的には、竿受け部１２は、その本体１２ａの基端部が支持部１２ｂによって台座１７に対して揺動可能に軸支されると共に、本体１２ａには、ボルト１３が螺入されている。このボルト１３は、本体１２ａの下面から下側に突出しており、その突出端には、ツマミ１３ａが装着されている。このため、本体１２ａを台座１７に対して持ち上げ、ツマミ１３ａを回転操作してボルト１３の位置（突出量）を調整することで、竿受け部１２の位置は上下方向に調整可能となっている。
【００１７】
前記竿掛け部１５は、台座１７に対して取り付けられており、実釣時において、釣竿６０の元竿に取着される釣竿緊締具１５ａを着脱可能にしている。この場合、公知のように、レバー１５ｂを操作することで、釣竿緊締具１５ａは竿掛け部１５から取り外しできるよう構成されている。
【００１８】
前記釣竿保持部１０は、位置変更機構２０を構成する軸部２３を回動操作することによって基体２から取り外すことなく、横フレーム２Ｂ及び縦フレーム２Ａの上面に対して、選択的に取り付けることが可能となっている。
【００１９】
以下、位置変更機構２０の構成について詳細に説明する。
前記基体２の縦フレーム２Ａと横フレーム２Ｂの交差部は略直角に屈曲しており、この交差部には、縦フレームから交差部を通って横フレームに通じる溝２１が形成されている。具体的に、溝２１は、略直角に屈曲する交差部領域において、側面視で正方形状となるように形成されており、縦フレーム２Ａの表面から横フレーム２Ｂの表面にかけて開口するように形成されている。
【００２０】
そして、前記溝２１の内部の縦フレームと横フレームの交差部には、前記軸部２３の基端部が支軸２３ａを介して枢着（軸支）されている。この軸部２３は、その基端部が枢着されることで、溝２１に沿って縦フレーム２Ａ側から横フレーム２Ｂ側、及び横フレーム２Ｂ側から縦フレーム２Ａ側に回動可能となって、その先端部を横フレーム２Ｂ表面側と縦フレーム２Ａ側を選択して突出させることができる。
【００２１】
前記軸部２３は基体２から突出し、釣竿保持部１０を支持しており、上記したように回動することで、釣竿保持部１０を、選択的に縦フレーム２Ａの表面、及び横フレーム２Ｂの表面のいずれかに移動させて取り付ける機能を有する。この場合、軸部２３には、雄ネジ部２３ｂが形成されており、その部分にナット部材２４が螺合されている。このナット部材２４は、一端に摘み２４ａを具備した軸方向に延出し、内側に軸部２３の雄ネジ部２３ｂと螺合する雌ネジ部を有する袋ナットとして構成されており、軸部２３に螺合されるナット部材２４は、前記釣竿保持部１０の台座１７に形成された挿通孔１７ａに挿通され、摘み２４ａを台座１７の表面から露出させている。
【００２２】
この結果、摘み２４ａを回転して締め付け操作することで、図１及び図２に示すように、台座１７（釣竿保持部１０）は、横フレーム２Ｂの表面に押圧され、移動が規制されて取り付けられる。
【００２３】
また、ナット部材２４を緩めると、台座１７（釣竿保持部１０）は、軸部２３（ナット部材２４を構成する袋ナット）に沿って上方に移動することが可能となる。すなわち、緩めたナット部材２４が軸部２３に螺合したままで釣竿保持部１０を軸部２３に沿って上方に移動させ、横フレーム２Ｂから離して軸部２３を溝２１に沿って縦フレーム２Ａ側に回動し（図３参照）、同時に釣竿保持部１０を縦フレーム２Ａ側に移動させることで、釣竿保持部１０を基体２から取り外すことなく、縦フレーム２Ａの表面に固定可能に移動させることができる。なお、この場合、図６に示すように、軸部２３の先端部には、例えば、周方向溝が形成されており、この部分にＣ型のリング状部材で構成された抜け止め２３ｄが装着されている。このような抜け止め２３ｄを装着しておくことで、ナット部材２４を緩めていっても、最終的に、その雌ネジ部が抜け止め部２３ｄに引っ掛かってナット部材２４が軸部２３から抜けて脱落することを防止している。
【００２４】
そして、釣竿保持部１０を、縦フレーム２Ａ側に回動して移動させた後は、再び摘み２４ａを締め付け操作することで、図４に示すように、台座１７（釣竿保持部１０）を、縦フレーム２Ａの表面に押圧して、移動を規制して取り付けることができ、これにより、図５に示すように、クランプ機構３を水平方向に締め付けて釣竿保持装置１を取り付けることが可能となる。
【００２５】
すなわち、ナット部材２４を螺合操作するだけで、釣竿保持部１０は、基体２から外れることなく、所望のフレーム（縦フレーム２Ａ又は２Ｂ）に対して、押圧、取り付けすることができ、また、この時にナット部材２４は、抜け止め２３ｄによって軸部２３に対し抜け止めされ、軸部２３から脱落することが防止されている。
【００２６】
また、上記した構成では、釣竿保持部１０に係合部１８が設けられており、縦フレーム２Ａ及び横フレーム２Ｂには、釣竿保持部１０を上述したように回動させた際、係合部１８と係合される被係合部２８が設けられている。この場合、係合部１８は、竿受け部１２側に設けられた突起で構成され、被係合部２８は、この突起（係合部１８）が嵌合する凹部として構成されている。このため、図３から図４に示すように、釣竿保持部１０を、横フレーム２Ｂから縦フレーム２Ａに回動する際（縦フレーム２Ａから横フレーム２Ｂに回動する際も同様）、釣竿保持部１０を、軸部２３を中心にして周方向に略１８０°回転させることで、横フレーム２Ｂ、縦フレーム２Ａのいずれの場合も、係合部１８を被係合部２８に嵌合させることが可能となる。
【００２７】
このように、釣竿保持部１０と基体２に、係合部１８及び被係合部２８を設けておくことにより、ナット部材２４を締め付けて釣竿保持部１０を押圧しながら取り付ける際、台座１７の回動やガタ付きが規制され、釣竿保持部１０の固定状態の安定化が図れるようになる。
【００２８】
もちろん、係合部１８や被係合部２８の形状や、配設位置については特に限定されることはなく、例えば、上記したように、釣竿保持部１０を、軸部２３を中心にして回転させなくても、両者が係合できるように構成されていても良い。また、そのような係合部１８や被係合部２８を配設しない構成であっても良い。
【００２９】
上記した実施形態の釣竿保持装置１によれば、船縁の状態に合わせて、釣竿保持部１０を基体２から取り外すことなく、回動させるだけで、縦フレーム２Ａ、及び横フレーム２Ｂのいずれかに選択的に付け替え操作することができる。このため、付け替え操作が容易に行えると共に、付け替え操作で、釣竿保持部やボルト等の部品を落とすことが防止される。
【００３０】
以上、本発明の実施形態について説明したが、本発明は、上記した実施形態に限定されることはなく、種々変形することが可能である。例えば、釣竿保持部１０（台座１７）は基体２に装着された軸部２３を回動操作することで、縦フレーム２Ａ、横フレーム２Ｂの表面に移動できるように構成されていれば良く、台座１７を取り付ける基体の構造（フレーム構造）等については、特に限定されることはない。
【図面の簡単な説明】
【００３１】
【図１】船縁に取り付けた釣竿保持装置の全体構成を示す図。
【図２】釣竿保持装置の詳細な構造を示す部分断面図。
【図３】釣竿保持部が回動する状態を示す部分断面図。
【図４】図２に示す状態から釣竿保持部を付け替えた状態を示す部分断面図。
【図５】図４に示す状態で船縁に取り付けた状態を示す部分断面図。
【図６】図２乃至図５に示す主要部の拡大図。
【符号の説明】
【００３２】
１  釣竿保持装置
２  基体
２Ａ  縦フレーム
２Ｂ  横フレーム
３  クランプ機構
１０  釣竿保持部
１７  台座
２０位置変更機構
２３  軸部
２４  ナット部材
【図１】
0004943973.tif 000002
【図２】
0004943973.tif 000003
【図３】
0004943973.tif 000004
【図４】
0004943973.tif 000005
【図５】
0004943973.tif 000006
【図６】
0004943973.tif 000007